(57)【要約】      （修正有）【課題】ギターの複数の弦を同時に、小さな力ですばやく簡単に押下げることができる変調クリップを提供する。【解決手段】弦押え子１０、引け具２０、梃子挟み板３０とを有してなり、弦押え子１０は、一端が弦押え端１１で他端がアームロッド１２となり、弦押え端１１の平面から遠ざかった箇所が動作端１２１となり、引け具２０は、第２軸穴が設けられて引け溝に枢着される形体で、上端がスライド端、下端が操作端２３となり、梃子挟み板３０は、一端が挟み端３１、他端が調整端３２で、調整端３２には、調整ねじ３４が挿入され、調整端３２の下に第１穴あけ軸が設けられ、第１穴あけ軸と弾性具とが第１軸穴に枢着されて挟み端３１と弦押え端１１とがクリップ口４０となる構成である。【選択図】図３
0003154592.tif 000002
【実用新案登録請求の範囲】
【請求項１】
弦押え子（１０）と、引け具（２０）と、梃子挟み板（３０）とを有してなる変調クリップであり、
前記弦押え子（１０）は、一端が弦押え端（１１）で他端が前記弦押え端（１１）から上方に伸びたアームロッド（１２）となり、前記弦押え端（１１）の平面から遠ざかった箇所が動作端（１２１）となって、二つの側壁（１２３）に挟まれて引け溝（１２２）が形成され、前記側壁（１２３）のそれぞれには第１軸穴（１２５）が設けられてなり、
前記引け具（２０）は、第２軸穴（２１）が設けられて前記引け溝（１２２）に枢着される形体であり、上端がスライド端（２２）、下端が操作端（２３）となり、
前記梃子挟み板（３０）は、一端が挟み端（３１）、他端が前記スライド端（２２）の上方に位置する調整端（３２）で構成され、前記調整端（３２）には、ねじ穴（３３）が設けられて調整ねじ（３４）が挿入され、さらに、前記調整端（３２）の下には、第１穴あけ軸（３５）が設けられ、前記第１穴あけ軸（３５）と弾性具（３６）とが前記第１軸穴（１２５）に枢着され、これにより前記挟み端（３１）と前記弦押え端（１１）とがクリップ口（４０）を構成するようにされる、
構成であることを特徴とする変調クリップ。
【請求項２】
前記引け具２０が、前記アームロッド（１２）における二つの側壁（１２３）に挟まれて形成された収容空間（１２４）に収容され、前記操作端（２３）が、前記弦押え端（１１）の下縁よりも下方に突出することを特徴とする請求項１に記載の変調クリップ。
【請求項３】
前記弦押え端（１１）の上面は、平面あるいは曲面形状でなり、前記弦押え端（１１）の上面と前記挟み端（３１）の下面とには、それぞれゴムパッド（５０）が設けられることを特徴とする請求項１に記載の変調クリップ。
【請求項４】
前記弾性具（３６）が、二つの取付端（３６１）を有する位置戻りバネであることを特徴とする請求項１に記載の変調クリップ。
【請求項５】
前記アームロッド（１２）の第１軸穴（１２５）の下方で、前記弦押え端（１１）に近接する面には、第１取付処（１２６）が設けられ、他方、前記梃子挟み板（３０）の前記挟み端（３１）の下方には第２取付処（３１１）が設けられて、前記第１取付処（１２６）と前記第２取付処（３１１）とには、弾性具（３６）の取付端（３６１）がそれぞれ組付けられ、前記挟み端（３１）を下方に移動させて弦を挟むと、前記第２取付処（３１１）が、第１穴あけ軸（３５）に設けられた二つの止め縁（３５１）を楽器に押付けることを特徴とする請求項４に記載の変調クリップ。
【請求項６】
さらに、押付具（６０）を有し、前記押付具（６０）は、一端が押付端（６１）、他端が枢着軸端（６２）とされ、前記枢着軸端（６２）が前記梃子挟み板（３０）の第１穴あけ軸（３５）と連結し、前記押付端（６１）には、スライド端（２２）と調整端（３２）とが枢着されることを特徴とする請求項１に記載の変調クリップ。
【請求項７】
前記枢着軸端（６２）には、第２穴あけ軸（６２１）が設けられ、前記第２穴あけ軸（６２１）の直径は前記第１穴あけ軸（３５）の直径よりも小さく、前記第２穴あけ軸（６２１）と前記第１穴あけ軸（３５）とにピンを挿入すると、前記第２穴あけ軸（６２１）と前記第１穴あけ軸（３５）とは相対に回転可能であり、前記第２穴あけ軸（６２１）には、さらに弾性具（３６）が枢着されることを特徴とする請求項６に記載の変調クリップ。
【請求項８】
前記押付端（６１）は、さらに押付面（６１１）と押上面（６１２）とを有し、前記押付面（６１１）には位置を上下に調整可能な前記調整ねじ（３４）の先端が押付けられ、前記押上面（６１２）には前記スライド端（２２）が摺動自在に押付けられることを特徴とする、請求項６に記載の変調クリップ。
【請求項９】
前記引け具（２０）のスライド端（２２）には、回転可能な転がりブッシュ（２４）が設けられることを特徴とする請求項１に記載の変調クリップ。
【請求項１０】
前記調整端（３２）には、更に、緊迫パッキン（３７）が設けられ、前記緊迫パッキン（３７）により、前記調整ねじ（３４）と前記ねじ穴（３３）とが安定に締結されることを特徴とする請求項１に記載の変調クリップ。
【考案の詳細な説明】
【技術分野】
【０００１】
本考案は、変調クリップに関し、より詳細には、ギターの複数の弦を小さな力で同時に押下げることができるギターの変調クリップに関するものである。
【背景技術】
【０００２】
変調クリップは、ギターの弦を押下げてギターの音調を変えるものである。図１は従来の変調クリップの模式図であり、図２はまた別の公知の変調クリップの模式図である。図１に示すように、ギター弦押え板１ａに設けられた延長アーム２ａは、バネ５を介して定位挟み板３に連結され、握り板４に力を加えることにより、変調クリップを移動することができる。しかし、変調クリップを移動するのに握り板４に加える力を大きくすることが必要で、力の弱い女性などのユーザーにとっては使用し難いものである。
【０００３】
そこで、図２に示すような変調クリップが開発された。この変調クリップは、固定板７に調整ねじ６を挿通して、調整ねじ６には、定位挟み板８が連接され、定位挟み板８と、延長アーム２ｂを有するギター弦押え板１ｂとにより、ギターの複数の弦を同時に押下げることができる。しかし、変調クリップを移動するときに、調整ねじ６を締めたり、緩めたりすることが必要であることの面倒さがあり、更に、第２変調クリップの使用が必要である。
【考案の概要】
【考案が解決しようとする課題】
【０００４】
本考案の主な目的は、ギターの複数の弦を同時に、小さな力ですばやく簡単に押下げることができる変調クリップを提供することにある。
【課題を解決するための手段】
【０００５】
本考案の請求項１に記載の変調クリップは、弦押え子（１０）と、引け具（２０）と、梃子挟み板（３０）とを有する構成である。そして、弦押え子（１０）は、一端が弦押え端（１１）で、他端が弦押え端（１１）から上方に伸びたアームロッド（１２）となり、弦押え端（１１）の平面から遠ざかった箇所が動作端（１２１）となって、二つの側壁（１２３）に挟まれて引け溝（１２２）が形成され、側壁（１２３）のそれぞれには第１軸穴（１２５）が設けられている。引け具（２０）は、第２軸穴（２１）が設けられて引け溝（１２２）に枢着される形体であり、上端がスライド端（２２）、下端が操作端（２３）となっている。梃子挟み板（３０）は、一端が挟み端（３１）、他端がスライド端（２２）の上方に位置する調整端（３２）で構成され、調整端（３２）には、ねじ穴（３３）が設けられて調整ねじ（３４）が挿入され、さらに、調整端（３２）の下には、第１穴あけ軸（３５）が設けられ、第１穴あけ軸（３５）と弾性具（３６）とが第１軸穴（１２５）に枢着され、これにより挟み端（３１）と弦押え端（１１）とがクリップ口（４０）を構成するようにされている。
【０００６】
本考案の請求項２に記載の変調クリップによると、引け具２０が、アームロッド（１２）における二つの側壁（１２３）に挟まれて形成された収容空間（１２４）に収容され、操作端（２３）が、弦押え端（１１）の下縁よりも下方に突出している。
【０００７】
本考案の請求項３に記載の変調クリップによると、弦押え端（１１）の上面は、平面あるいは曲面形状でなり、弦押え端（１１）の上面と挟み端（３１）の下面とにはそれぞれゴムパッド（５０）が設けられている。
【０００８】
本考案の請求項４に記載の変調クリップによると、弾性具（３６）が、二つの取付端（３６１）を有する位置戻りバネである。
【０００９】
本考案の請求項５に記載の変調クリップによると、アームロッド（１２）の第１軸穴（１２５）の下方で、弦押え端（１１）に近接する面には、第１取付処（１２６）が設けられ、他方、梃子挟み板（３０）の挟み端（３１）の下方には第２取付処（３１１）が設けられて、第１取付処（１２６）と第２取付処（３１１）とには、弾性具（３６）の取付端（３６１）がそれぞれ組付けられ、挟み端（３１）を下方に移動させて弦を挟むと、第２取付処（３１１）が、第１穴あけ軸（３５）に設けられた二つの止め縁（３５１）を楽器に押付ける。
【００１０】
本考案の請求項６に記載の変調クリップによると、さらに、押付具（６０）を有し、押付具（６０）は、一端が押付端（６１）、他端が枢着軸端（６２）とされ、枢着軸端（６２）が梃子挟み板（３０）の第１穴あけ軸（３５）と連結し、押付端（６１）には、スライド端（２２）と調整端（３２）とが枢着される。
【００１１】
本考案の請求項７に記載の変調クリップによると、枢着軸端（６２）には、第２穴あけ軸（６２１）が設けられ、第２穴あけ軸（６２１）の直径は第１穴あけ軸（３５）の直径よりも小さく、第２穴あけ軸（６２１）と第１穴あけ軸（３５）とにピンを挿入すると、第２穴あけ軸（６２１）と第１穴あけ軸（３５）とは相対に回転可能であり、第２穴あけ軸（６２１）には、さらに弾性具（３６）が枢着される。
【００１２】
本考案の請求項８に記載の変調クリップによると、押付端（６１）は、さらに押付面（６１１）と押上面（６１２）とを有し、押付面（６１１）には位置を上下に調整可能な調整ねじ（３４）の先端が押付けられ、押上面（６１２）にはスライド端（２２）が摺動自在に押付けられる。
【００１３】
本考案の請求項９に記載の変調クリップによると、引け具（２０）のスライド端（２２）には、回転可能な転がりブッシュ（２４）が設けられる。
【００１４】
本考案の請求項１０に記載の変調クリップによると、調整端（３２）には、更に、緊迫パッキン（３７）が設けられ、緊迫パッキン（３７）により、調整ねじ（３４）とねじ穴（３３）とが安定に締結される。
【考案の効果】
【００１５】
本考案の変調クリップによれば、次のような効果がある。
（１）第１軸穴とスライド端と第２軸穴とから構成される三つ定位点の設計に、梃子挟み板と転がりブッシュとを合せることにより、引け具と梃子挟み板と弦押え子とによってクリップ口を形成することができ、これにより、ギターの複数の弦を同時に、簡単に押下げることができ、且つクリック口の大きさを小さい力で調整することができ、ユーザーはギターを流暢に演奏することができる。
【００１６】
（２）引け溝には引け具が収容され、第１穴あけ溝には、梃子挟み板と第１軸穴とが枢着されることにより、見た目に綺麗で、このような変調クリップを採用したい演奏者が多くなる。
【図面の簡単な説明】
【００１７】
【図１】従来の変調クリップの模式図である。
【図２】従来の別の変調クリップの模式図である。
【図３】本考案の第１実施形態の側面図である。
【図４】本考案の第１実施形態の側面断面図である。
【図５】本考案の第１実施形態の分解斜視図である。
【図６】本考案の第１実施形態の使用状態を示す側面断面図である。
【図７】本考案の第２実施形態の模式図である。
【考案を実施するための形態】
【００１８】
以下、本考案の実施の形態を図面に基づいて説明する。
図３から図５を参照して、第１実施形態を説明する。図３は、本考案の第１実施形態に係る側面図、図４は、その側面断面図、図５は、その分解斜視図である。
本考案の変調クリップは、弦押え子１０と、引け具２０と、梃子挟み板３０とを有して構成されている。
【００１９】
弦押え子１０は、一端が弦押え端１１であり、他端が弦押え端１１から上方に伸びたアームロッド１２となっている。アームロッド１２の弦押え端１１の平面から遠ざかった箇所は動作端１２１となって、二つの側壁１２３に挟まれて引け溝１２２が形成され、側壁１２３のそれぞれには第１軸穴１２５が設けられている。
【００２０】
引け具２０は、引け溝１２２に収容される。すなわち、二つの側壁１２３に挟まれて収容空間１２４が形成され、収容空間１２４に引け具２０が収容され、引け具２０に第２軸穴２１が設けられることにより引け溝１２２に枢着される形体である。引け具２０の上端がスライド端２２、下端が操作端２３となる。スライド端２２には、回転可能な転がりブッシュ２４が設けられ、操作端２３は、弦押え端１１の下縁よりも下方に突出する。
【００２１】
梃子挟み板３０は、一端が挟み端３１、他端が引け具２０のスライド端２２の上方に位置する調整端３２となる。調整端３２には、ねじ穴３３が設けられ、その上に緊迫パッキン３７が設けられて調整ねじ３４が挿入され、調整ねじ３４が緊迫パッキン３７によりねじ穴３３に安定に締結される。また、調整端３２の下には、第１穴あけ軸３５が設けられ、第１穴あけ軸３５と弾性具３６とが第１軸穴１２５に枢着され、これにより挟み端３１と弦押え端１１とでクリップ口４０を構成するようになる。このとき、弦押え端１１の上方と、挟み端３１の下方とにはゴムパッド５０がそれぞれ設けられる。
【００２２】
弾性具３６は、二つの取付端３６１を有する位置戻りバネである。アームロッド１２の第１軸穴１２５の下方、弦押え端１１に近接する面に第１取付処１２６が設けられ、他方、梃子挟み板３０の挟み端３１の下方には第２取付処３１１が設けられて、第１取付処１２６と第２取付処３１１とに弾性具３６の取付端３６１がそれぞれ組付けられる。挟み端３１を下方に移動させて弦を挟むと、第２取付処３１１は、第１穴あけ軸３５に設けられた二つの止め縁３５１を楽器に押付ける。
【００２３】
この実施形態では、更に、押付具６０を有し、押付具６０は、一端が押付端６１、他端が枢着軸端６２とされ、枢着軸端６２が、梃子挟み板３０の第１穴あけ軸３５と連結し、押付端６１には、スライド端２２と調整端３２とが枢着される。枢着軸端６２には、第２穴あけ軸６２１が設けられ、第２穴あけ軸６２１の直径は第１穴あけ軸３５の直径よりも小さく、第２穴あけ軸６２１と第１穴あけ軸３５とにピンを挿入すると、第２穴あけ軸６２１と第１穴あけ軸３５とは相対に回転可能であり、第２穴あけ軸６２１には、更に、弾性具３６が枢着される。押付端６１は、押付面６１１と押上面６１２とを有し、押付面６１１には位置を上下に調整可能な調整ねじ３４の先端が押付けられ、押上面６１２にはスライド端２２が摺動自在に押付けられる。
【００２４】
図６は、本考案の変調クリップの使用状態を、第１実施形態の例で示す側面断面図である。引け具２０の操作端２３をアームロッド１２から離れるようにすると、スライド端２２の転がりブッシュ２４が押上面６１２をスライドして引け溝１２２の収容空間１２４に進入し、第１穴あけ溝３５と弾性具３６とにより梃子挟み板３０の調整端３２と押付具６０とが下方に移動し、一方、挟み端３１が上方に移動する。これにより、クリップ口４０が大きく拡がり、ギターの弦を挟むことができる。更に、調整ねじ３４を回転することによって調整ねじ３４の上下位置を調整して、寸法の異なるギターに使用することができる。弦押え端１１の上面は、クラシックギターに適用可能な平面でもいいし、民謡ギターに適用可能な曲面としてもよい。
【００２５】
図７は、本考案の第２実施形態の模式図で、弦押え端１１の上面が第１実施形態と異なって曲面となっている例である。
【００２６】
このように、第１軸穴１２５とスライド端２２と第２軸穴２１とから構成される三つ定位点の設計に、梃子挟み板３０と転がりブッシュ２４とを合せることにより、変調クリップの使用を簡単に、小さい力で動かすことができるようになる。本考案の変調クリップは、従来のものに比べると、下記の長所がある。
【００２７】
（１）弦押え具１０と梃子挟み板３０とが引け具２０によって作動されることにより、ユーザーは、一つの手で操作端２３をより小さい力で引けることにより、変調クリップを容易に移動することができ、演奏を流暢に施すことができるようになる。且つ転がりブッシュ２４によりスライド端２２が押上面６１２を順調にスライドすることができるので、前記押上面６１２の磨耗が減少する。
【００２８】
（２）押付具６０と調整ねじ３４とにより、ユーザーが梃子挟み板３０のクリップ口４０に対する傾斜角度を簡単に調整することができる。
【００２９】
（３）クリップ口４０によってギターの弦を挟むときには、第１穴あけ軸３５にある二つの止め縁３５１が第１取付処１２６を止めることができるので、弾性具３６を無理に圧迫することがなくなり、これにより、弾性具３６の弾性を長時間に保持することができ、梃子挟み板３０が損壊しない。
【００３０】
（４）緊迫パッキン３７により、調整ねじ３４の締結が安定になり、演奏しているときの振動による調整ねじ３４の緩みがなくなる。
【００３１】
そして引け溝１２２には引け具２０が収容され、第１穴あけ軸３５には、梃子挟み板３０が枢着されることにより、見た目に綺麗になり、演奏者は気持ち良く演奏をすることができ、このように、本考案の変調クリップを採用したい演奏者が多くなる。
【００３２】
本考案を、上記特定の実施形態で説明したが、この実施形態は、本考案を説明するための一例であり、本考案を限定するものではなく、この分野の通常の知識を有する者には、本考案の精神および範囲を逸脱することなく、ここで開示された実施形態に変更、追加、または、削除を施してもよいことがわかる。
【産業上の利用可能性】
【００３３】
本考案は、広く弦楽器に適用することができる。
【符号の説明】
【００３４】
１ａ：ギター弦押え板
１ｂ：ギター弦押え板
２ａ：延長アーム
２ｂ：延長アーム
３：定位挟み板
４：握り板
５：バネ
６：調整ねじ
７：固定板
８：定位挟み板
１０：弦押え子
１１：弦押え端
１２：アームロッド
２０：引け具
２１：第２軸穴
２２：スライド端
２３：操作端
２４：転がりブッシュ
３０：梃子挟み板
３１：挟み端
３２：調整端
３３：ねじ穴
３４：調整ねじ
３５：第１穴あけ軸
３６：弾性具
３７：緊迫パッキン
４０：クリップ口
５０：ゴムパッド
６０：押付具
６１：押付端
６２：枢着軸端
１２１：動作端
１２２：引け溝
１２３：側壁
１２４：収容空間
１２５：第１軸穴
１２６：第１取付処
３１１：第２取付処
３５１：止め縁
３６１：取付端
６１１：押付面
６１２：押上面
６２１：第２穴あけ軸。
【図１】
0003154592.tif 000003
【図２】
0003154592.tif 000004
【図３】
0003154592.tif 000005
【図４】
0003154592.tif 000006
【図５】
0003154592.tif 000007
【図６】
0003154592.tif 000008
【図７】
0003154592.tif 000009